(57)【要約】【課題】透光壁パネルの施工性を向上し得る透光壁パネル装置を提供する。【解決手段】透光壁パネル装置１は、透光板２８の四周を囲むようにフレーム２１，２２，２４，２４が固定された透光壁パネル２０と、天井側に沿うように固定され、前記透光壁パネルの上部フレーム２１の上面側に設けられた凹部及び突部のうちの一方からなる嵌合部２１ｂと互いに嵌め合わせられる被嵌合部１１を有した天井側ベース１０と、を備えており、前記透光壁パネルは、前記上部フレームの嵌合部と前記天井側ベースの被嵌合部とが嵌め合わせられ、下部フレーム２２が床２に固定されて建て付けられる構成とされている。【選択図】図１
2018123508.tif 000002
【特許請求の範囲】
【請求項１】
透光板の四周を囲むようにフレームが固定された透光壁パネルと、天井側に沿うように固定され、前記透光壁パネルの上部フレームの上面側に設けられた凹部及び突部のうちの一方からなる嵌合部と互いに嵌め合わせられる被嵌合部を有した天井側ベースと、を備えており、
前記透光壁パネルは、前記上部フレームの嵌合部と前記天井側ベースの被嵌合部とが嵌め合わせられ、下部フレームが床に固定されて建て付けられる構成とされていることを特徴とする透光壁パネル装置。
【請求項２】
請求項１において、
前記上部フレームの嵌合部及び前記天井側ベースの被嵌合部のうちの一方のパネル厚さ方向両側に位置するように配され、前記上部フレームの上面と天井との隙間を遮蔽する隙間遮蔽部材を備えていることを特徴とする透光壁パネル装置。
【請求項３】
請求項１または２において、
前記透光壁パネルのパネル幅方向一方側の側部フレームと該側部フレームが突き合わせられる突合対象との隙間を遮蔽する隙間遮蔽部材を備えていることを特徴とする透光壁パネル装置。
【請求項４】
請求項１乃至３のいずれか１項において、
前記上部フレームの嵌合部が凹部とされ、前記天井側ベースの被嵌合部が突部とされており、
前記天井側ベースは、前記突部の天井側端部のパネル厚さ方向両側からパネル厚さ方向に突出するように設けられ、天井側の当接対象に当接される当接片部を備え、これら両側の当接片部は、前記突部が前記上部フレームの凹部に挿入された状態で、それぞれの先端が該上部フレームのパネル厚さ方向両面よりもパネル厚さ方向で中心側に位置する構成とされていることを特徴とする透光壁パネル装置。
【請求項５】
請求項１乃至４のいずれか１項において、
床に沿うように固定され、前記透光壁パネルの下部フレームの下面側に設けられた凹部に挿入される突部を有した床側ベースを更に備えており、
前記透光壁パネルは、前記上部フレームの嵌合部と前記天井側ベースの被嵌合部とを嵌め合わせた状態で、前記下部フレームの凹部に前記床側ベースの突部を受け入れさせてけんどん状に建て付けられる構成とされていることを特徴とする透光壁パネル装置。
【請求項６】
請求項５において、
前記床側ベースは、前記突部として前記下部フレームの凹部に全体が受け入れられる構成とされていることを特徴とする透光壁パネル装置。
【請求項７】
請求項５または６において、
前記上部フレームの嵌合部及び前記下部フレームの凹部は、各フレームの略全長に亘って延びるように設けられており、
前記天井側ベース及び前記床側ベースは、前記上部フレーム及び前記下部フレームの長手方向に沿って長尺状とされていることを特徴とする透光壁パネル装置。
【請求項８】
請求項５乃至７のいずれか１項において、
前記上部フレーム及び前記下部フレームには、それぞれの固定対象に止着される止具の止着部と、該止着部に止着された止具の頭部を収容する頭部収容凹所と、該頭部収容凹所の開口を覆うカバーと、が設けられていることを特徴とする透光壁パネル装置。
【発明の詳細な説明】
【技術分野】
【０００１】
本発明は、間仕切壁状に設置される透光壁パネルを備えた透光壁パネル装置に関する。
【背景技術】
【０００２】
従来より、住居等の建物内に、採光のためや空間演出性の観点等から設置される透光性を有した間仕切パネルが知られている。
例えば、下記特許文献１には、天井及び床に固定された概略コ型断面の取付け金具に、ガラスパネルの上下端が固定される天井レール及び床レールを仮止め可能とした取付け構造が開示されている。また、この取付け構造は、天井レール及び床レールに、嵌められたガラスパネルが外れないように取り外し可能に取り付けられるレール片を設けた構成とされている。
【先行技術文献】
【特許文献】
【０００３】
【特許文献１】特開２００３−４１６９６号公報
【発明の概要】
【発明が解決しようとする課題】
【０００４】
しかしながら、上記構成とされた取付け構造では、ガラスパネルを天井レール及び床レールに対して取り付ける際に、ガラスパネルを保持した状態で天井レール及び床レールのそれぞれにレール片を取り付ける必要があり、更なる改善が望まれる。
【０００５】
本発明は、上記実情に鑑みてなされたものであり、透光壁パネルの施工性を向上し得る透光壁パネル装置を提供することを目的としている。
【課題を解決するための手段】
【０００６】
上記目的を達成するために、本発明に係る透光壁パネル装置は、透光板の四周を囲むようにフレームが固定された透光壁パネルと、天井側に沿うように固定され、前記透光壁パネルの上部フレームの上面側に設けられた凹部及び突部のうちの一方からなる嵌合部と互いに嵌め合わせられる被嵌合部を有した天井側ベースと、を備えており、前記透光壁パネルは、前記上部フレームの嵌合部と前記天井側ベースの被嵌合部とが嵌め合わせられ、下部フレームが床に固定されて建て付けられる構成とされていることを特徴とする。
【発明の効果】
【０００７】
本発明に係る透光壁パネル装置は、上述のような構成としたことで、透光壁パネルの施工性を向上させることができる。
【図面の簡単な説明】
【０００８】
【図１】本発明の一実施形態に係る透光壁パネル装置の一例を模式的に示し、図２（ａ）におけるＸ−Ｘ線矢視に対応させた一部破断概略縦断面図である。
【図２】（ａ）は、同透光壁パネル装置を設置した状態を模式的に示す一部破断概略正面図、（ｂ）は、（ａ）におけるＹ−Ｙ線矢視に対応させた一部破断概略横断面図である。
【図３】同透光壁パネル装置の一部破断概略分解斜視図である。
【図４】（ａ）〜（ｄ）は、同透光壁パネル装置が備える透光壁パネルのフレームの一例を模式的に示す一部破断概略分解斜視図である。
【図５】（ａ）は、同透光壁パネル装置が備える天井側ベースの一例を模式的に示す一部破断概略斜視図、（ｂ）は、同透光壁パネル装置が備える床側ベースの一例を模式的に示す一部破断概略斜視図、（ｃ）は、同透光壁パネル装置の施工手順の一例を模式的に示し、図２（ａ）に対応させた一部破断概略正面図である。
【図６】（ａ）、（ｂ）は、同透光壁パネル装置の施工手順の一例をそれぞれ模式的に示し、（ａ）は、図１に対応させた一部破断概略縦断面図、（ｂ）は、図２（ａ）に対応させた一部破断概略正面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る透光壁パネル装置を設置した状態を基準として上下方向等の方向を説明する。
図１〜図６は、本実施形態に係る透光壁パネル装置の一例及びその施工方法の一例を模式的に示す図である。
【００１０】
本実施形態に係る透光壁パネル装置１は、図１〜図３に示すように、透光板２８の四周を囲むようにフレーム２１，２２，２４，２４が固定された透光壁パネル２０を備えている。
本実施形態では、透光壁パネル装置１は、図２（ｂ）に示すように、透光壁パネル２０の側方に出入口４が形成されるように設置される構成とされている。また、この出入口４を開閉する戸パネル３１を備えた戸装置３０を設けた構成としている。なお、透光壁パネル装置１を含めて戸装置３０として把握するようにしてもよい。
【００１１】
また、透光壁パネル２０を、住居等の建物の間仕切壁等の壁体３を貫通するように設けられる開口部のパネル幅方向に対向する対向面となる壁端面３ａ，３ａのうちの一方の壁端面３ａに突き合わせるように設置した構成としている。つまり、他方の壁端面３ａ側に出入口４を設けた構成としている。また、図例では、透光壁パネル２０を、側部フレーム２４のパネル厚さ方向一方側面が壁体３の壁厚方向一方側面と略同一平面状となるように配した例を示しているが、このような態様に限られない。
出入口４は、下側が床２によって区画され、上側が天井面によって区画され、開口幅方向一方側が透光壁パネル２０によって区画され、開口幅方向他方側が他方の壁端面３ａによって区画されている。つまり、この出入口４は、開口高が床２から天井までの天井高と同高さとされている。なお、壁体３は、適宜の壁下地の壁厚方向両側に石膏ボード等の壁下地ボードが固定され、その表面に壁クロス等の化粧シートが貼着された構成としてもよい。また、開口部の両側を区画する壁端面３ａ，３ａも同様、壁下地ボードの表面に化粧シートが貼着された構成としてもよい。または、壁端面３ａ，３ａは、適宜の縦枠部材の見込面としてもよい。
【００１２】
また、戸装置３０の戸パネル３１は、戸幅方向にスライド自在とされた引戸とされている。また、戸装置３０を、片引き状に開閉される一枚の戸パネル３１を備えた構成としている。また、開放位置とされた戸パネル３１の戸厚方向一方側に透光壁パネル２０が配される構成としている。つまり、本実施形態では、透光壁パネル２０は、開放位置の戸パネル３１が沿わせられる袖壁として機能する。また、戸パネル３１を、壁体３の壁厚方向一方面に沿ってスライド自在に配し、いわゆるアウトセット状に建て付けた例を示している。なお、このような態様に代えて、戸パネル３１を、両側の壁端面３ａ，３ａ間においてスライド自在に配した構成としてもよい。
戸パネル３１は、一方向（上下方向）に長尺な略矩形平板状とされている。この戸パネル３１の戸高寸法（長さ寸法）は、天井高に応じた寸法とされている。この戸パネル３１の戸高寸法は、上端部及び下端部が天井及び床２に干渉しないように、天井高よりも僅かに小さい寸法としてもよい。この戸パネル３１の戸高寸法は、開口高（天井高）に応じて、２４００ｍｍ〜３０００ｍｍ程度としてもよい。
【００１３】
また、戸パネル３１の戸幅寸法は、出入口４の開口幅に応じた寸法であればよく、６００ｍｍ〜１２００ｍｍ程度でもよい。また、戸パネル３１の戸厚寸法は、２０ｍｍ〜４０ｍｍ程度でもよい。
この戸パネル３１の上端部には、図１及び図２（ａ）に示すように、天井側に設けられる上レール３４にガイドされる被ガイド部を構成するランナー３２が設けられている。図例では、戸パネル３１の上端部の戸幅方向両端部のそれぞれにランナー３２，３２を設けた例を示している。これらランナー３２，３２には、戸厚方向に沿う軸回りに回転する転動体（ローラー）が戸厚方向に間隔を空けて設けられている。戸パネル３１は、これらランナー３２，３２を介して上レール３４に吊下支持される上吊型とされている。
【００１４】
上レール３４は、戸パネル３１のランナー３２，３２をガイドするガイド溝３５を下向きに開口するように設けた構成とされている。この上レール３４は、全開位置と閉鎖位置とを移動する戸パネル３１の上端側のガイドが可能なように、適宜の長さ寸法とされている。
この上レール３４は、ガイド溝３５の溝底側を区画する天壁部とガイド溝３５の溝幅方向両側を区画する両側壁部とを備えている。また、上レール３５は、これら両側壁部の下端部から互いに向き合う方向に突出し、ランナー３２，３２に設けられた転動体を走行自在に案内支持する案内片部を備えている。また、図例では、上レール３４の両側壁部の下端部からレール幅方向外側に向けて突出する突片部を設けた構成としている。
【００１５】
また、上レール３４は、平面視して壁体３及び開口部の壁厚方向一方側に位置するように設けられている。また、図例では、この上レール３４を、天井に埋込状に設けた例を示している。この上レール３４は、天井側に設けられた適宜のレール下地５に固定されるものでもよい。このレール下地５は、図例のような角柱状とされたものに限られず、上レール３４を受け入れる凹溝が下面側に設けられたものでもよい。
また、図例では、この上レール３４のレール幅方向両側の各側壁部に、両側の天井パネル７，７の端部を突き合わせた構成としている。また、これら両側の天井パネル７，７の端部の表面（下面）を覆うように上レール３４の突片部を設けた例を示している。また、これら天井パネル７，７の表面に、天井面を構成する化粧シート８，８を貼着した構成としている。なお、天井パネル７，７は、レール下地５のレール幅方向両側に設けられた野縁等の天井下地６，６に固定するようにしてもよい。また、レール下地５の下面側に上記のような凹溝を設けてこのレール下地５を天井下地６，６としてもよい。
【００１６】
また、戸パネル３１の下端部には、下向きに開口するガイド溝３３が設けられている。このガイド溝３３に、床２側に設けられ、戸パネル３１の下端側をガイドする下端ガイド部材３６のガイドピン３７が差し入れられる構成とされている。図例では、この下端ガイド部材３６を、床２に固定された平板状台座から上方側に向けてガイドピン３７を突出させた構成とされたものとしている。なお、下端ガイド部材３６としては、磁石を設けたガイドピンを上下方向に出没自在に収容し、床２に埋込状に配設されるマグネットガイドとしてもよい。この場合は、戸パネル３１のガイド溝３３に、この下端ガイド部材３６に対応させて磁石や磁性体等を設けてもよい。戸パネル３１の下端側をガイドする下端ガイド部材３６としては、その他、種々の構成とされたものでもよい。また、戸パネル３１は、上レール３４に吊下支持される上吊型とされたものに限られず、下荷重型とされたものでもよい。この場合は、戸パネル３１の下端部に戸車を設けたり、床２側に下レール等を設けたり、戸パネル３１の上端側の被ガイド部や上レール３４を適宜、変形するようにしてもよい。
【００１７】
透光壁パネル装置１は、天井側に沿うように固定され、透光壁パネル２０の上部フレーム２１の上面側に設けられた凹部及び突部のうちの一方からなる嵌合部２１ｂと互いに嵌め合わせられる被嵌合部１１を有した天井側ベース１０を備えている。また、透光壁パネル２０は、上部フレーム２１の嵌合部２１ｂと天井側ベース１０の被嵌合部１１とが嵌め合わせられ、下部フレーム２２が床２に固定されて建て付けられる構成とされている。本実施形態では、上部フレーム２１の嵌合部を凹部２１ｂとし、天井側ベース１０の被嵌合部を突部１１としている。
また、本実施形態では、透光壁パネル装置１は、床２に沿うように固定され、透光壁パネル２０の下部フレーム２２の下面側に設けられた凹部２２ｂに挿入される突部を有した床側ベース１６を備えている。また、透光壁パネル２０は、上部フレーム２１の嵌合部（凹部）２１ｂと天井側ベース１０の被嵌合部（突部）１１とを嵌め合わせた状態で、下部フレーム２２の凹部２２ｂに床側ベース１６の突部を受け入れさせてけんどん状に建て付けられる構成とされている。透光壁パネル２０は、このように建て付けられた状態では、上端側が天井側ベース１０に仮保持され、下端側が床側ベース１６に仮保持される構成とされている。
【００１８】
透光壁パネル２０は、一方向（上下方向）に長尺な略矩形平板状とされている。この透光壁パネル２０は、本実施形態では、パネル幅方向一方側の側部フレーム２４が突合対象としての一方の壁端面３ａに突き合わせられ、パネル幅方向他方側の側部フレーム２４が出入口４の開口幅方向一方側を区画するように設置される。
この透光壁パネル２０のパネル高さ寸法は、天井高に応じた寸法とされている。本実施形態では、後記するように天井面に沿うように設けられた天井側ベース１０に係合可能なように、透光壁パネル２０のパネル高さ寸法を天井高よりも小さい寸法としている。
また、透光壁パネル２０のパネル幅寸法は、戸パネル３１の戸幅寸法に応じて適宜の寸法としてもよい。この透光壁パネル２０のパネル幅寸法は、壁厚方向一方側から壁厚方向に見た状態で（正面視して）、全開位置とされた戸パネル３１に概ね全体が覆われるような寸法としてもよい。図例では、この透光壁パネル２０のパネル幅寸法を、戸パネル３１の戸幅寸法と略同寸法とした例を示しているが、戸幅寸法よりも大としたり、戸幅寸法よりも小としたりしてもよい。
【００１９】
透光板２８は、アクリルやポリカーボネート等の合成樹脂系材料や、ガラス等の透光性材料から形成されている。例えば、この透光板２８を、二枚のガラス板を厚さ方向に接合した合わせガラスとしてもよい。
また、この透光板２８は、略無色透明とされたものに限られず、有色透明とされたものや半透明とされたものでもよい。この透光板２８としては、例えば、透明材料に着色剤が添加されて有色透明とされたものや、樹脂フィルム等が積層されて有色透明とされたものでもよい。また、この透光板２８としては、スモークガラス状やすりガラス状とされたものでもよく、また、二枚の透明（透光）パネル間に、和紙等のシート材を介在させた構成とされたものでもよく、その他、種々の構成とされたものでもよい。
【００２０】
また、この透光板２８は、全体に亘って略一様な厚さとされている。また、この透光板２８の厚さ寸法は、図例では、戸パネル３１の戸厚寸法よりも小とされている。この透光板２８の厚さ寸法は、強度上の観点等から適宜の厚さとしてもよく、例えば、３ｍｍ〜１５ｍｍ程度としてもよい。
四周のフレーム２１，２２，２４，２４には、図１及び図２（ｂ）に示すように、透光板２８の四周端部を受け入れる受入溝２１ａ，２２ａ，２４ａ，２４ａが設けられている。また、これら受入溝２１ａ，２２ａ，２４ａ，２４ａには、透光板２８の四周端部を保持するガスケット（グレイジングガスケット）２７，２７，２７，２７が嵌め込まれている。このようなガスケット２７としては、断面略Ｃ字状とされたいわゆるグレイジングチャンネルやパネル厚さ方向に分離されたグレイジングビードでもよい。
また、本実施形態では、パネル高さ方向両側の上部フレーム２１及び下部フレーム２２と、パネル幅方向両側の側部フレーム２４，２４と、をいわゆる縦勝ち状に接合した構成としている。つまり、上部フレーム２１及び下部フレーム２２の長手方向の各端面と、各側部フレーム２４，２４の上端部及び下端部の互いに向き合う内側面と、を突き合わせて接合した構成としている。これら四周のフレーム２１，２２，２４，２４の接合態様の一例については後述する。
【００２１】
上部フレーム２１は、パネル幅方向に長尺状とされ、長手方向に見て概ね方形状とされている。この上部フレーム２１の上下方向に向く上面及び下面並びにパネル厚さ方向に向く両側面は、略平坦面状とされている。
また、この上部フレーム２１の長さ寸法は、パネル幅方向両側の側部フレーム２４，２４間の寸法に応じた寸法とされている。また、この上部フレーム２１の上下方向に沿う寸法（見付寸法）及びパネル厚さ方向に沿う寸法は、見栄え上や強度上の観点や、透光板２８を安定的に保持する観点、当該透光壁パネル２０の固定性等の観点等から適宜の寸法としてもよい。本実施形態では、図１に示すように、上部フレーム２１の上下方向に沿う寸法を、上部フレーム２１のパネル厚さ方向に沿う寸法よりも小としている。この上部フレーム２１の上下方向に沿う寸法は、例えば、１０ｍｍ〜４０ｍｍ程度としてもよい。また、この上部フレーム２１のパネル厚さ方向に沿う寸法は、例えば、３０ｍｍ〜６０ｍｍ程度としてもよい。
【００２２】
この上部フレーム２１の受入溝２１ａは、上部フレーム２１の下面側に下方側に向けて開口するように設けられている。この受入溝２１ａは、上部フレーム２１の全長に亘って設けられている。また、受入溝２１ａは、上部フレーム２１のパネル厚さ方向略中央部に設けられている。また、受入溝２１ａは、略平坦面状とされた上部フレーム２１の下面側において開口するように設けられている。また、図例では、この受入溝２１ａの溝幅方向両側を区画する両側の溝壁面の開口側部位に、互いに対向する方向に向けて突出し、ガスケット２７の抜け止めとなる抜止片部を設けた例を示している。
また、上部フレーム２１の受入溝２１ａのパネル厚さ方向両側には、全長に亘って貫通するように中空部が設けられている。換言すれば、上部フレーム２１の受入溝２１ａのパネル厚さ方向両側部位を、中空筒状としている。なお、上部フレーム２１の受入溝２１ａのパネル厚さ方向両側部位をこのような中空筒状とした態様に代えて、中実状としてもよい。
【００２３】
また、この上部フレーム２１の上面側に設けられた凹部２１ｂは、上方側に向けて開口するように設けられている。本実施形態では、この凹部２１ｂを、当該上部フレーム２１の略全長に亘って延びるように溝状に設けた構成としている。この凹部２１ｂは、受入溝２１ａと同様、略平坦面状とされた上部フレーム２１の上面側において開口するように、かつパネル厚さ方向略中央部に位置するように設けられている。また、この凹部２１ｂは、溝長手方向に見て、略方形溝状とされている。この凹部２１ｂの上下方向に沿う深さ寸法及びパネル厚さ方向に沿う溝幅寸法は、後記する天井側ベース１０の突部１１の受け入れが可能なように適宜の寸法とすればよい。
【００２４】
また、本実施形態では、この上部フレーム２１に、固定対象としての天井下地６に止着される止具の止着部２１ｄと、止着部２１ｄに止着された止具９の頭部を収容する頭部収容凹所２１ｅと、頭部収容凹所２１ｅの開口を覆うカバー２３と、を設けている。
止着部２１ｄは、上部フレーム２１の凹部２１ｂのパネル厚さ方向他方側（反戸パネル側）に設けられている。この止着部２１ｄは、中空状とされた上部フレーム２１のパネル厚さ方向他方側部位の上面を構成する上側片部に設けられている。また、図例では、止着部２１ｄを、天井下地６に止着される（捩じ込まれる）ねじ等の止具９が挿通される挿通孔としている。なお、止着部２１ｄとしては、予め設けられた挿通孔に限られず、上側片部自体を止着部として把握するようにしてもよい。この場合は、止着部２１ｄとなる上側片部の下面側に、下孔や止着時の目印となる目印溝等を設けた構成としてもよい。
【００２５】
また、上部フレーム２１は、この止着部２１ｄに、上端側に向かうに従いパネル厚さ方向中心側に向けて傾斜状に止着された止具９によって天井下地６に固定される構成とされている。図例では、この止着部２１ｄが設けられた上側片部の下面を、パネル厚さ方向中央側からパネル幅方向外側に向かうに従い上方側となるように傾斜する傾斜面状とした例を示している。このように傾斜面状とされた上側片部の下面に対して軸方向が略直交方向となるように止具９を止着した例を示している。
また、この止着部２１ｄが設けられた上側片部の下方側の空間が頭部収容凹所２１ｅを構成する。この頭部収容凹所２１ｅは、上部フレーム２１の全長に亘って設けられている。また、頭部収容凹所２１ｅは、下方側に向けて開口するように設けられている。また、この頭部収容凹所２１ｅの開口側部位には、互いに対向する方向に向けて突出し、カバー２３を保持する係合部が設けられている。
【００２６】
カバー２３は、頭部収容凹所２１ｅの開口側部位に嵌め込まれるように頭部収容凹所２１ｅに着脱自在に取り付けられる。このカバー２３は、その下面が上部フレーム２１の下面と略同一平面状となるように取り付けられる。また、このカバー２３のパネル厚さ方向両側の上面側には、上方側に向けて突出する一対の係合突起が設けられている。これら係合突起の先端部には、頭部収容凹所２１ｅの開口側部位に設けられた係合部に引っ掛かるように係止する爪状の係止部が設けられている。なお、頭部収容凹所２１ｅに着脱自在に取り付けられるカバー２３及びカバー２３の係止部が係止される係合部としては、このような構成とされたものに限られず、種々の変形が可能である。
【００２７】
下部フレーム２２は、パネル幅方向に長尺状とされ、長手方向に見て概ね方形状とされている。本実施形態では、この下部フレーム２２を、上部フレーム２１と同寸同形状、つまり、同一部材としている。つまりは、この下部フレーム２２には、上記同様な受入溝２２ａ、凹部２２ｂ、止着部２２ｄ、頭部収容凹所２２ｅ及びカバー２３が設けられている。図例では、この下部フレーム２２を、上部フレーム２１と同様、止着部２２ｄ等がパネル厚さ方向他方側（反戸パネル側）となるように設けた例を示している。なお、これら受入溝２２ａ、凹部２２ｂ、止着部２２ｄ、頭部収容凹所２２ｅ及びカバー２３の具体的構成は、上部フレーム２１において説明したそれぞれの構成の上下方向を逆として把握すればよいため、以下では、詳細な説明を省略する。
【００２８】
受入溝２２ａは、下部フレーム２２の上面側に上方側に向けて開口するように、かつ下部フレーム２２の全長に亘って設けられている。
凹部２２ｂは、下部フレーム２２の下面側に下方側に向けて開口するように、かつ下部フレーム２２の全長に亘って設けられている。
止着部２２ｄは、中空状とされた下部フレーム２２のパネル厚さ方向他方側（反戸パネル側）部位の下面を構成する下側片部に設けられ、固定対象としての床２に止着される（捩じ込まれる）ねじ等の止具９が挿通される挿通孔とされている。
また、下部フレーム２２は、この止着部２２ｄに、下端側に向かうに従いパネル厚さ方向中心側に向けて傾斜状に止着された止具９によって床２に固定される構成とされている。また、この止着部２２ｄが設けられた下側片部の上面を、パネル厚さ方向中央側からパネル幅方向外側に向かうに従い下るように傾斜する傾斜面状とした例を示している。このように傾斜面状とされた下側片部の上面に対して軸方向が略直交方向となるように止具９を止着した例を示している。
【００２９】
頭部収容凹所２２ｅは、止着部２２ｄが設けられた下側片部の上方側の空間とされ、下部フレーム２２の全長に亘って設けられている。また、頭部収容凹所２２ｅは、上方側に向けて開口するように設けられている。
カバー２３は、その上面が下部フレーム２２の上面と略同一平面状となるように、頭部収容凹所２２ｅの開口側部位に嵌め込まれるように頭部収容凹所２２ｅに着脱自在に取り付けられる。このカバー２３のパネル厚さ方向両側の下面側には、下方側に向けて突出し、先端部に係止部が設けられた一対の係合突起が設けられている。なお、上部フレーム２１と下部フレーム２２とを同一部材とした態様に代えて、互いに異なる部材としてもよい。
【００３０】
パネル幅方向両側の側部フレーム２４，２４は、図２（ａ）、（ｂ）に示すように、上下方向に長尺状とされ、長手方向に見て概ね方形状とされている。これら側部フレーム２４，２４のパネル幅方向に向く両側面及びパネル厚さ方向に向く両側面は、略平坦面状とされている。また、本実施形態では、これら両側の側部フレーム２４，２４を、互いに同寸同形状、つまり、同一部材としている。また、これら両側の側部フレーム２４，２４は、長手方向に貫通するように中空部が設けられた中空筒状とされている。
これら両側の側部フレーム２４，２４の長さ寸法は、当該透光壁パネル２０のパネル高さ寸法に応じた寸法とされている。つまり、これら両側の側部フレーム２４，２４は、当該透光壁パネル２０の全長に亘って設けられている。また、これら両側の側部フレーム２４，２４のパネル幅方向に沿う寸法（見付寸法）は、これら両側の側部フレーム２４，２４のパネル厚さ方向に沿う寸法よりも小とされている。つまり、本実施形態では、設置された透光壁パネル２０をパネル厚さ方向に見た際に見える部位の各フレーム２１，２２，２４，２４の見付寸法を比較的に小さい寸法としている。
【００３１】
また、図例では、これら両側の側部フレーム２４，２４のパネル幅方向に沿う寸法及びパネル厚さ方向に沿う寸法を、上部フレーム２１及び下部フレーム２２の上下方向に沿う寸法及びパネル厚さ方向に沿う寸法よりも大としている。なお、このような態様に代えて、これら両側の側部フレーム２４，２４のパネル幅方向に沿う寸法及びパネル厚さ方向に沿う寸法を、上部フレーム２１及び下部フレーム２２の上下方向に沿う寸法及びパネル厚さ方向に沿う寸法と略同寸法等としてもよい。
また、これら両側の側部フレーム２４，２４の受入溝２４ａ，２４ａは、パネル幅方向中央側となる互いに向き合う対向側において互いに対向する方向に向けて開口するように設けられている。これら受入溝２４ａ，２４ａは、上記同様、各側部フレーム２４，２４のそれぞれに全長に亘って設けられている。また、これら受入溝２４ａ，２４ａは、各側部フレーム２４，２４のパネル厚さ方向略中央部に設けられている。また、これら受入溝２４ａ，２４ａは、各側部フレーム２４，２４の略平坦面状とされた対向面側において開口するように設けられている。
【００３２】
これら両側の側部フレーム２４，２４と上部フレーム２１及び下部フレーム２２とは、溶接等によって接合されたものでもよいが、本実施形態では、接合部材２６を介して接合されている（図４参照）。また、接合部材２６は、両側の側部フレーム２４，２４のパネル幅方向外側面及びパネル厚さ方向両側面において止具が露出しないように、これら側部フレーム２４，２４と上部フレーム２１及び下部フレーム２２とを接合する構成とされている。
また、側部フレーム２４，２４の上端部及び下端部の中空部内に配される補強部材２５を設けた構成としている。なお、図４では、透光壁パネル２０の四隅部のうちの一隅部となる一方の側部フレーム２４の下端部と下部フレーム２２の長手方向一方側端部との接合部のみを例示しているが、他の隅部についても同様である。
【００３３】
補強部材２５は、図４（ａ）、（ｂ）に示すように、側部フレーム２４の受入溝２４ａの溝底を構成する溝底片部２４ｂとパネル幅方向外側面を構成する外側片部２４ｃとの間に嵌め込まれるように取り付けられる。この補強部材２５は、溝底片部２４ｂに当接される内側片部と、外側片部２４ｃに当接または近接される外側片部と、側部フレーム２４の長手方向の端面と略同一平面状となるように配される端面片部と、を有し、パネル厚さ方向に見て略Ｕ字（コ字）状とされている。また、この補強部材２５は、側部フレーム２４の溝底片部２４ｂを貫通して内側片部に止着されたねじ等の止具によって側部フレーム２４の長手方向の端面を構成するように側部フレーム２４の端部に固定される。
【００３４】
接合部材２６は、図４（ｂ）、（ｃ）に示すように、側部フレーム２４の長手方向の端部に固定される第１固定部２６ａと、下部フレーム２２（上部フレーム２１）の長手方向の端部に固定される第２固定部２６ｂと、を備えている。
第１固定部２６ａは、パネル厚さ方向両側からパネル厚さ方向中心側となる互いに向き合う方向に向けて突出するように設けられた突片部状とされている。側部フレーム２４の端部には、これら突片部状とされた第１固定部２６ａ，２６ａの基端部が差し入れられる挿通部２４ｄ，２４ｄが設けられている。これら挿通部２４ｄ，２４ｄは、側部フレーム２４の受入溝２４ａの両側方部位に、長手方向に延びるようにかつ長手方向の端面において開口するようにスリット状に設けられている。
接合部材２６は、側部フレーム２４の受入溝２４ａの両側方部位を貫通して第１固定部２６ａ，２６ａに止着されたねじ等の止具によって側部フレーム２４の端部に固定される。
【００３５】
第２固定部２６ｂは、接合部材２６が側部フレーム２４に固定された状態で、側部フレーム２４の端部からパネル幅方向中央側に向けて突出するように設けられる構成とされている。また、第２固定部２６ｂは、側部フレーム２４側の端部からパネル厚さ方向に二股状に設けられている。これら第２固定部２６ｂ，２６ｂは、下部フレーム２２（上部フレーム２１）の凹部２２ｂ（２１ｂ）の両側の中空部に差し入れられる構成とされている。また、下部フレーム２２（上部フレーム２１）の凹部２２ｂ（２１ｂ）の溝幅方向両側を区画する両側壁部には、これら第２固定部２６ｂ，２６ｂの基端部を受け入れる挿通部２２ｃ（２１ｃ）が設けられている。
接合部材２６は、下部フレーム２２（上部フレーム２１）の凹部２２ｂ（２１ｂ）の両側方部位を貫通して第２固定部２６ｂ，２６ｂに止着されたねじ等の止具によって下部フレーム２２（上部フレーム２１）の端部に固定される。
【００３６】
上記のような接合態様とすれば、透光壁パネル２０を設置した状態では、側部フレーム２４の端部と下部フレーム２２（上部フレーム２１）の端部とを接合する止具を目立ち難くすることができる。つまり、接合部材２６を側部フレーム２４に固定する止具は、下部フレーム２２（上部フレーム２１）の端部に覆われた状態となる。また、接合部材２６を下部フレーム２２（上部フレーム２１）に固定する止具は、その頭部が下部フレーム２２（上部フレーム２１）の下面側（上面側）に位置し、透光壁パネル２０を設置した状態では、目立ち難くなる。これにより、図３に示すように、透光壁パネル２０のパネル幅方向両側端部の表面に止具等が露出することがなく、見栄えを向上させることができる。
【００３７】
なお、両側の側部フレーム２４，２４と上部フレーム２１及び下部フレーム２２との接合態様としては、上記したような態様に限られず、その他、種々の変形が可能である。
また、これら四周フレーム２１，２２，２４，２４は、金属系材料または合成樹脂系材料から形成されたものでもよい。金属系材料としては、アルミニウムやステンレス等が挙げられる。また、合成樹脂系材料としては、塩化ビニル樹脂や、その他、種々の樹脂の採用が可能であり、また、ガラス繊維や炭素繊維等の強化繊維を含んだいわゆる繊維強化樹脂でもよい。
また、これら四周フレーム２１，２２，２４，２４は、押出成形等によってそれぞれ全長に亘って略一様な断面形状とされたものでもよい。
また、これら四周フレーム２１，２２，２４，２４の表面は、塗装や化粧シートの貼着等によって適宜の表面化粧処理が施された化粧面としてもよい。
【００３８】
天井側ベース１０は、図１及び図５（ａ）に示すように、被嵌合部を構成する突部１１を下方側に向けて突出させるように設けた構成とされている。本実施形態では、天井側ベース１０は、図３に示すように、上部フレーム２１の長手方向に沿って長尺状とされている。この天井側ベース１０の長さ寸法は、突部１１を上部フレーム２１の凹部２１ｂに差入可能なように、凹部２１ｂの溝長さ寸法以下とすればよい。本実施形態では、後記するように天井側ベース１０及び床側ベース１６に仮保持された透光壁パネル２０をパネル幅方向にスライド可能なように、天井側ベース１０（突部１１）の長さ寸法を、上部フレーム２１（凹部２１ｂ）の長さ寸法よりも小さい寸法としている。本実施形態のように透光壁パネル２０を壁端面３ａに突き合わせる場合には、仮保持された透光壁パネル２０と壁端面３ａとの間に手指の差入が可能なように、天井側ベース１０の長さ寸法を、上部フレーム２１の長さ寸法よりも小さい寸法としてもよい。例えば、天井側ベース１０の長さ寸法を、上部フレーム２１の長さ寸法よりも３０ｍｍ〜２００ｍｍ程度小さい寸法としてもよい。
【００３９】
突部１１は、図１に示すように、透光壁パネル２０が建て付けられた状態で、下端部となる突出方向先端部が上部フレーム２１の凹部２１ｂに差し入れられる構成とされている。この突部１１は、天井側ベース１０の全長に亘って延びるように設けられている。また、この突部１１の先端部のパネル厚さ方向に沿う寸法は、上部フレーム２１の凹部２１ｂの溝幅寸法に応じた寸法とされている。また、この突部１１の上下方向に沿う突出寸法は、上部フレーム２１の凹部２１ｂの上下方向に沿う深さ寸法に応じた寸法としてもよい。図例では、突部１１の突出寸法を、凹部２１ｂの深さ寸法よりも僅かに大きい寸法とした例を示している。また、透光壁パネル２０が建て付けられた状態で、上部フレーム２１の凹部２１ｂに差し入れられた突部１１の先端部の上下方向に沿う寸法は、透光壁パネル２０の上端側の仮保持が可能なように適宜の寸法としてもよく、例えば、２ｍｍ〜１０ｍｍ程度としてもよい。
また、突部１１は、この先端部の天井側に、パネル厚さ方向に沿う寸法が小とされた括れ部を設けた構成とされている。
【００４０】
また、本実施形態では、この突部１１の先端部に、図５（ａ）に示すように、下方側に向けて突出し、パネル厚さ方向に間隔を空けて設けられた一対の突片部１２，１２を設けた構成とされている。これら突片部１２，１２が上部フレーム２１の凹部２１ｂに差し入れられる構成とされている。また、突部１１は、この先端部に、これら突片部１２，１２によって溝幅方向両側が区画され、下方側に向けて開口する溝部を天井側ベース１０の全長に亘って設けた構成とされている。また、突部１１には、この溝部の溝底を構成する底片部１３が突片部１２，１２間に架け渡されるように設けられている。この底片部１３は、上下方向に厚さ方向を沿わせた薄板状とされている。天井側ベース１０は、この底片部１３を貫通して固定対象としての天井下地６に止着された止具９によって天井下地６に固定される構成とされている。なお、底片部１３に、止具９が挿通される挿通孔や下孔、目印溝等を設けた構成としてもよい。
【００４１】
また、突部１１は、底片部１３の上面側から上方側に向けて延びるように設けられ、突部１１のパネル厚さ方向両側を構成する両側片部１４，１４を備えている。これら両側片部１４，１４は、パネル厚さ方向に間隔を空けて設けられている。つまり、突部１１は、これら両側片部１４，１４と底片部１３とによって長手方向に見て略Ｕ字（コ字）状とされている。また、これら両側片部１４，１４の下端部は、突部１１の先端部の天井側に括れ部が形成されるように、両側の突片部１２，１２よりもパネル厚さ方向中央側に位置するように設けられている。また、これら両側片部１４，１４は、上方側に向かうに従い互いに離間するように拡開状に形成されている。これら両側片部１４，１４の天井側端部となる上端部は、突部１１の天井側端部のパネル厚さ方向に沿う寸法が突部１１の先端部のパネル厚さ方向に沿う寸法よりも小さい寸法となるように設けられている。
【００４２】
また、本実施形態では、突部１１の天井側端部のパネル厚さ方向両側からパネル厚さ方向に突出するように設けられ、天井側の当接対象８に当接される当接片部１５，１５を備えている。図例では、これら当接片部１５，１５の当接対象を、天井パネル７の表面に貼着された化粧シート８とした例を示しているが、天井パネル７としてもよい。また、天井側ベース１０を天井に埋込状に設ける場合には、これら当接片部１５，１５の当接対象を、天井下地６等としてもよい。
また、これら両側の当接片部１５，１５は、突部１１が上部フレーム２１の凹部２１ｂに挿入された状態で、それぞれの先端（パネル厚さ方向外側端）が上部フレーム２１のパネル厚さ方向両面よりもパネル厚さ方向で中心側に位置する構成とされている。換言すれば、これら両側の当接片部１５，１５は、突部１１が上部フレーム２１の凹部２１ｂに挿入された状態で、それぞれの先端が上部フレーム２１のパネル厚さ方向両面からパネル厚さ方向でパネル厚さ方向外側に突出しない構成とされている。
【００４３】
これら当接片部１５，１５は、上下方向に厚さ方向を沿わせた薄板状とされている。また、これら当接片部１５，１５は、突部１１の天井側端部からの突出寸法が互いに略同寸法となるように設けられている。また、上記した上部フレーム２１を天井下地６に固定する止具９は、これら当接片部１５，１５のうちの一方を貫通して天井下地６に止着される。なお、一方の当接片部１５に、この止具９が挿通される挿通孔や下孔、目印溝等を設けた構成としてもよい。
また、本実施形態では、これら当接片部１５，１５を、パネル厚さ方向に間隔を空けて設けた構成としている。つまり、これら当接片部１５，１５は、両側片部１４，１４のそれぞれの天井側端部からパネル厚さ方向外方側に向けて突出するように設けられている。なお、このような態様に代えて、これら当接片部１５，１５同士を接続する片部を設けた構成としてもよい。この場合は、この片部に、当該天井側ベース１０を天井下地６に固定する止具９の挿通孔や下孔、目印溝等を設けた構成としてもよい。
【００４４】
床側ベース１６は、図１及び図５（ｂ）に示すように、床２から上方側に向けて突出する突部を構成するように設けられている。本実施形態では、床側ベース１６は、突部として下部フレーム２２の凹部２２ｂに全体が受け入れられる構成とされている。つまり、床側ベース１６自体を突部としている。また、本実施形態では、床側ベース１６は、図３に示すように、下部フレーム２２の長手方向に沿って長尺状とされている。この床側ベース１６の長さ寸法は、上記同様、突部を構成する床側ベース１６を下部フレーム２２の凹部２２ｂに差入可能なように、凹部２２ｂの溝長さ寸法以下とすればよい。本実施形態では、上記同様、突部を構成する床側ベース１６の長さ寸法を、下部フレーム２２（凹部２２ｂ）の長さ寸法よりも小さい寸法としている。この床側ベース１６の長さ寸法は、天井側ベース１０の長さ寸法と略同寸法としてもよい。
【００４５】
また、この床側ベース１６のパネル厚さ方向に沿う寸法は、下部フレーム２２の凹部２２ｂの溝幅寸法に応じた寸法とされている。また、この床側ベース１６の上下方向に沿う寸法は、天井側ベース１０の突部１１の突出寸法よりも小とされている。本実施形態では、床側ベース１６は、パネル厚さ方向に沿う寸法よりも上下方向に沿う寸法が小とされた帯板状とされている。この床側ベース１６の上下方向に沿う寸法は、下部フレーム２２の凹部２２ｂに差し入れられた状態で透光壁パネル２０の下端側の仮保持が可能なように適宜の寸法としてもよく、上記同様、２ｍｍ〜１０ｍｍ程度としてもよい。床側ベース１６及び突部１１の上下方向に沿う寸法、凹部２１ｂの深さ寸法並びに透光壁パネル２０の高さ寸法は、上端側及び下端側が仮保持された透光壁パネル２０が床側ベース１６の上下方向に沿う寸法を超えて上方側に変位可能なように適宜の寸法とすればよい。換言すれば、上端側及び下端側が仮保持された透光壁パネル２０の上端面から突部１１の基端（当接片部１５）までの上下方向に沿う寸法及び突部１１の先端から凹部２１ｂの溝底までの上下方向に沿う寸法を、床側ベース１６の上下方向に沿う寸法よりも大とすればよい。
【００４６】
また、床側ベース１６には、固定対象としての床２に止着される止具９の挿通孔１７が設けられている。この挿通孔１７は、床側ベース１６の長手方向に間隔を空けて複数箇所に設けられている。
なお、天井側ベース１０及び床側ベース１６は、上記同様な金属系材料または合成樹脂系材料から形成されたものでもよい。
また、天井側ベース１０及び床側ベース１６は、押出成形等によってそれぞれ全長に亘って略一様な断面形状とされたものでもよい。
また、天井側ベース１０及び床側ベース１６の形状は、図例のようなものに限られず、適宜、変形が可能である。
【００４７】
また、本実施形態では、透光壁パネル装置１は、上部フレーム２１の凹部２１ｂ及び天井側ベース１０の突部１１のうちの一方のパネル厚さ方向両側に位置するように配され、上部フレーム２１の上面と天井との隙間を遮蔽する隙間遮蔽部材１８を備えている。この隙間遮蔽部材１８は、上記一方としての突部１１のパネル厚さ方向両側に位置するように配される。この隙間遮蔽部材１８は、透光壁パネル２０のパネル幅方向の略全体に亘って設けられるものでもよい。また、本実施形態では、図３に示すように、透光壁パネル２０の上端面の四周を囲むように隙間遮蔽部材１８を設けた構成としている。換言すれば、突部１１及びこれが差し入れられる凹部２１ｂの四周を囲むように隙間遮蔽部材１８を設けた構成としている。図例では、パネル幅方向に長尺状とされたパネル厚さ方向両側の隙間遮蔽部材１８，１８と、パネル厚さ方向に長尺状とされたパネル幅方向両側の隙間遮蔽部材１８，１８と、を設けた構成としている。
【００４８】
この隙間遮蔽部材１８は、透光壁パネル２０の上端面に粘着材や接着剤等によって貼着されるものでもよい。この場合、パネル幅方向両側の隙間遮蔽部材１８，１８を、上記した側部フレーム２４の長手方向の端面を構成するように設けられた補強部材２５（図４参照）に貼着するようにしてもよい。
また、隙間遮蔽部材１８は、透光壁パネル２０がけんどん状に建て付けられる際に透光壁パネル２０の上端側において小さくなる隙間に応じて変形可能な構成とされている。このような隙間遮蔽部材１８としては、比較的に柔軟なスポンジ等の軟質発泡体や、多数のパイル（毛）が設けられたモヘア（パイルシール）等としてもよい。なお、この隙間遮蔽部材１８は、透光壁パネル２０の上端面に貼着される態様に限られず、天井面等の天井側に貼着されるものでもよい。
【００４９】
また、本実施形態では、透光壁パネル装置１は、透光壁パネル２０のパネル幅方向一方側の側部フレーム２４とこの側部フレーム２４が突き合わせられる突合対象としての一方の壁端面３ａとの隙間を遮蔽する隙間遮蔽部材１９を備えている。この隙間遮蔽部材１９は、図３に示すように、一方の側部フレーム２４の長手方向に延びるように長尺状とされている。この隙間遮蔽部材１９は、透光壁パネル２０のパネル高さ方向の略全体に亘って設けられるものでもよい。また、この隙間遮蔽部材１９は、透光壁パネル２０のパネル幅方向一方側の外側面または壁端面３ａに粘着材や接着剤等によって貼着されるものでもよい。また、この隙間遮蔽部材１９は、パネル幅方向に厚さ方向を沿わせて配されるテープ状のシール材（パッキン）でもよく、比較的に柔軟なスポンジ等の軟質発泡体等でもよい。
【００５０】
次に、上記構成とされた透光壁パネル装置１の施工方法の一例について説明する。
まず、図５（ａ）〜（ｃ）に示すように、天井側及び床２に、天井側ベース１０及び床側ベース１６を固定する。これら天井側ベース１０及び床側ベース１６は、これらによって仮保持される透光壁パネル２０と一方の壁端面３ａとの間に手指の差入可能なスペースが形成されるように、一方の壁端面３ａとの間に隙間を設けて配置するようにしてもよい。
そして、図６（ａ）に示すように、透光壁パネル２０を、下端側が上端側よりもパネル厚さ方向一方側となるように斜め状にして上部フレーム２１の凹部２１ｂに天井側ベース１０の突部１１を受け入れさせる。この際、天井側ベース１０が上記のように壁端面３ａから離間されているので、透光壁パネル２０の壁端面３ａ側のパネル幅方向の端部を把持することができる。また、このように上部フレーム２１の凹部２１ｂに天井側ベース１０の突部１１を受け入れさせた状態で、下部フレーム２２の凹部２２ｂに突部を構成する床側ベース１６を受け入れさせて透光壁パネル２０を起立させる。これにより、透光壁パネル２０は、上端側が天井側ベース１０に仮保持され、下端側が床側ベース１６に仮保持された状態となる。
【００５１】
そして、図６（ｂ）に示すように、透光壁パネル２０を、一方の壁端面３ａ側に向けてパネル幅方向にスライドさせるように移動させ、一方の側部フレーム２４を一方の壁端面３ａに突き合わせる。
そして、図１に示すように、透光壁パネル２０の下部フレーム２２を、止着部２２ｄを介して床２に止着させた止具９によって床２に固定する。また、透光壁パネル２０の上部フレーム２１を、止着部２１ｄを介して天井下地６に止着させた止具９によって天井下地６に固定する。また、これら上部フレーム２１及び下部フレーム２２の頭部収容凹所２１ｅ，２２ｅの開口に、それぞれカバー２３，２３を取り付ける。
上記のような構成により、側方に出入口４が形成されるように透光壁パネル２０が設置される。なお、戸装置３０の上レール３４や下端ガイド部材３６、戸パネル３１についても適宜、施工するようにすればよい。
【００５２】
本実施形態に係る透光壁パネル装置１は、上述のような構成としたことで、透光壁パネル２０の施工性を向上させることができる。
つまり、透光壁パネル２０を、透光板２８の四周を囲むようにフレーム２１，２２，２４，２４が固定された構成としている。従って、ガラスパネル自体を施工する必要があるようなものと比べて、透光壁パネル２０の取扱性を向上させることができる。また、透光壁パネル２０を、上部フレーム２１の嵌合部（凹部）２１ｂと天井側ベース１０の被嵌合部（突部）１１とが嵌め合わせられ、下部フレーム２２が床２に固定されて建て付けられる構成としている。従って、透光壁パネル２０の上端側を天井側ベース１０に仮保持させることができ、ガラスパネルを保持した状態でレール片等を取り付ける必要があるものと比べて、施工性を向上させることができる。
【００５３】
また、本実施形態では、上部フレーム２１の嵌合部を凹部２１ｂとし、天井側ベース１０の被嵌合部を突部１１としている。従って、上部フレーム２１に突部を設けた場合と比べて、搬送時や設置時における損傷等を抑制することができる。
また、本実施形態では、天井側ベース１０に、突部１１の天井側端部のパネル厚さ方向両側からパネル厚さ方向に突出し、天井側の当接対象（天井面）に当接される当接片部１５，１５を設けた構成としている。従って、突部１１のパネル厚さ方向に沿う寸法の小型化を図りながらも、両側の当接片部１５，１５によって天井側ベース１０を安定的に固定することができる。
また、これら両側の当接片部１５，１５は、突部１１が上部フレーム２１の凹部２１ｂに挿入された状態で、それぞれの先端が上部フレーム２１のパネル厚さ方向両面よりもパネル厚さ方向で中心側に位置する構成とされている。従って、天井側に固定された天井側ベース１０に対して透光壁パネル２０の上部フレーム２１を保持させた状態で、天井側ベース１０の当接片部１５，１５がパネル厚さ方向に突出するようなことがなく、天井側ベース１０を目立ち難くすることができる。なお、このような当接片部１５，１５を天井側ベース１０に設けていない構成としてもよい。
【００５４】
また、本実施形態では、透光壁パネル装置１は、床２に沿うように固定され、透光壁パネル２０の下部フレーム２２の凹部２２ｂに挿入される突部を有した床側ベース１６を備えた構成とされ、透光壁パネル２０がけんどん状に建て付けられる構成とされている。従って、透光壁パネル２０を天井側ベース１０及び床側ベース１６に対して容易に仮保持させることができる。また、透光壁パネル２０の下部フレーム２２の下面側に凹部２２ｂを設けた構成としているので、上記同様、下部フレーム２２に突部を設けた場合と比べて、搬送時や設置時における損傷等を抑制することができる。
また、本実施形態では、床側ベース１６を、突部として下部フレーム２２の凹部２２ｂに全体が受け入れられる構成としている。従って、床２に当接される当接片部から上方側に向けて突出する突部を設けたようなものと比べて、床側ベース１６が透光壁パネル２０の下部フレーム２２の凹部２２ｂから露出するようなことがなく、床側ベース１６を目立ち難くすることができる。また、床側ベース１６の構造の簡略化を図ることができる。なお、このような態様に代えて、床側ベース１６に、突部と、この突部の床側端部からパネル厚さ方向両側に突出し、床２に当接される当接片部と、を設けた構成としてもよい。
【００５５】
また、本実施形態では、上部フレーム２１の嵌合部（凹部）２１ｂ及び下部フレーム２２２の凹部２２ｂを、各フレーム２１，２２の略全長に亘って延びるように設けた構成としている。また、天井側ベース１０及び床側ベース１６を、上部フレーム２１及び下部フレーム２２の長手方向に沿って長尺状としている。従って、短尺状の複数の天井側ベース１０及び床側ベース１６を要するようなものと比べて、取扱性や施工性を向上させることができる。また、上述のように、透光壁パネル２０を、そのパネル幅方向一方側を突合対象（壁端面）３ａに突き合わせて設置する際に、壁端面３ａから離間させた位置においてパネル幅方向両側を把持して天井側ベース１０及び床側ベース１６にけんどん状に建て付けることができる。また、このように建て付けた後に透光壁パネル２０を壁端面３ａ側にスライドさせるようにして移動させることができる。なお、天井側ベース１０及び床側ベース１６の両方または一方を、上部フレーム２１及び下部フレーム２２の長手方向に間隔を空けて設けられる短尺状やピン状とされたものとしてもよい。この場合は、上部フレーム２１の嵌合部（凹部）２１ｂ及び下部フレーム２２の凹部２２ｂを、天井側ベース１０及び床側ベース１６に対応させて全長に亘って設けていない構成等としてもよい。
【００５６】
また、本実施形態では、上部フレーム２１及び下部フレーム２２に、それぞれの固定対象（天井下地６及び床２）に止着される止具９，９の止着部２１ｄ，２２ｄを設けた構成としている。従って、透光壁パネル２０の上下両端部を、固定対象（天井下地６及び床２）に対して止具９，９によって強固に固定することができる。また、上部フレーム２１及び下部フレーム２２に、止着部２１ｄ，２２ｄに止着された止具９，９の頭部を収容する頭部収容凹所２１ｅ，２２ｅと、頭部収容凹所２１ｅ，２２ｅの開口を覆うカバー２３，２３と、を設けた構成としている。従って、上部フレーム２１及び下部フレーム２２に止着された止具９，９を目立ち難くすることができる。なお、これら上部フレーム２１及び下部フレーム２２の両方または一方に、頭部収容凹所２１ｅ，２２ｅやカバー２３，２３を設けていない態様等としてもよい。
【００５７】
また、本実施形態では、透光壁パネル装置１は、上部フレーム２１の上面と天井との隙間を遮蔽する隙間遮蔽部材１８を備えている。従って、上部フレーム２１の上面と天井との間の天井側ベース１０を目立ち難くすることができる。また、突部１１が上部フレーム２１の全長に亘って設けられていないような場合にも、上面側における明かり漏れ等を抑制することができる。
また、本実施形態では、透光壁パネル装置１は、透光壁パネル２０のパネル幅方向一方側の側部フレーム２４とこの側部フレーム２４が突き合わせられる突合対象としての壁端面３ａとの隙間を遮蔽する隙間遮蔽部材１９を備えている。従って、透光壁パネル２０のパネル幅方向一方側の側部フレーム２４が突き合わせられる壁端面３ａとの隙間を遮蔽することができ、側面側における明かり漏れ等を抑制することができる。なお、透光壁パネル装置１は、このような隙間遮蔽部材１８，１９の両方または一方を備えていない構成としてもよい。
【００５８】
また、上記した例では、戸装置３０を、片引き状の一枚の戸パネル３１を備えた構成とした例を示しているが、引き違い状や両引き（引き分け）状に配される複数枚の戸パネル３１を備えた構成としてもよい。引き分け状に配される複数枚の戸パネル３１を備えた構成とした場合には、出入口４の開口幅方向両側に透光壁パネル装置１を配設するようにしてもよい。また、透光壁パネル装置１の側方に設けられる出入口４を開閉する戸パネル３１としては、引戸に限られず、二枚の戸体を折畳及び展開自在に連結した折戸や、開き戸等としてもよい。また、このように戸パネル３１の側方に透光壁パネル装置１（透光壁パネル２０）を配する態様に限られず、適宜の位置に配するようにしてもよい。
また、上記した例では、透光壁パネル２０の突合対象を、壁端面３ａとした例を示しているが、壁面としてもよい。つまり、壁面に対して直交状に透光壁パネル２０を設けた構成としてもよい。また、このようにパネル幅方向一方側を突合対象に突き合わせて透光壁パネル２０を設置する態様に代えて、壁面や壁端面３ａ等から離間させて透光壁パネル２０を設置する態様等としてもよい。透光壁パネル２０の設置態様としては、その他、種々の変形が可能である。
【００５９】
また、上記した例では、天井側ベース１０を、天井面に沿わせるように固定した例を示しているが、天井側に埋込状に設けた構成としてもよい。この場合は、透光壁パネル２０の上端部の一部が天井側に埋込状に配される構成とされたものでもよい。
また、本実施形態では、上部フレーム２１の嵌合部を凹部２１ｂとし、天井側ベース１０の被嵌合部を突部１１とした例を示しているが、このような態様に限られない。上部フレーム２１の嵌合部を突部とし、天井側ベース１０の被嵌合部を凹部としてもよい。この場合は、上部フレーム２１の突部を、長尺状としたり、短尺状やピン状等としたりしてもよい。また、上部フレーム２１の突部に対応させて、天井側ベース１０を、例えば、長手方向に見て略Ｕ字（コ字）状等とされたものとしたり、凹部を構成する多数の穴が設けられた構成とされたものとしてもよい。また、下部フレーム２２に凹部２２ｂを設け、床側ベース１６を突部とした例を示しているが、このような態様に限られない。上記同様、下部フレーム２２に突部を設け、床側ベース１６に凹部を設けた構成としてもよい。さらには、透光壁パネル２０の下端側を仮保持する床側ベース１６を設けていない構成としてもよい。
【符号の説明】
【００６０】
１          透光壁パネル装置
１０        天井側ベース
１１        突部（被嵌合部）
１５        当接片部
１６        床側ベース（突部）
１８，１９  隙間遮蔽部材
２０        透光壁パネル
２１        上部フレーム
２１ｂ      凹部（嵌合部）
２１ｄ      止着部
２１ｅ      頭部収容凹所
２２        下部フレーム
２２ｂ      凹部
２２ｄ      止着部
２２ｅ      頭部収容凹所
２３        カバー
２４        側部フレーム
２８        透光板
２          床（固定対象）
３ａ        壁端面（突合対象）
６          天井下地（固定対象）
９          止具
【図１】
2018123508.tif 000003
【図２】
2018123508.tif 000004
【図３】
2018123508.tif 000005
【図４】
2018123508.tif 000006
【図５】
2018123508.tif 000007
【図６】
2018123508.tif 000008